【手続補正書】
【提出日】平成17年2月15日(2005.2.15)
【手続補正１】
【補正対象書類名】明細書
【補正対象項目名】特許請求の範囲
【補正方法】変更
【補正の内容】
【特許請求の範囲】
【請求項１】
ページ順と異なる順序でファイル内に配置可能なオブジェクトと当該オブジェクトのファイル内での位置を示す参照情報とを備え、所定のオブジェクトから構成されるページを規定する文書ファイルを、プリントデータに変換せずに画像形成装置に送信するための画像処理装置であって、
印刷すべき文書ファイルを前記画像形成装置に送信するための文書ファイル送信手段と、
前記画像形成装置から、前記文書ファイルのデータ形式を変更することを要求する変更要求通知を受信するための変更要求通知受信手段と、
前記変更要求通知を受信した場合、前記文書ファイルに対して、受信順にデータを処理することにより文書ファイルを解析できるデータ形式に変更するための変更処理を施し、前記変更要求通知を受信しない場合、前記文書ファイルに対して、前記変更処理を施さないデータ形式変更手段と、
前記データ形式変更手段により前記文書ファイルに対して前記変更処理が施された場合、前記画像形成装置に対して、前記変更処理が施された文書ファイルを送信するための変更後文書ファイル送信手段と
を有する画像処理装置。
【請求項２】
ページ順と異なる順序でファイル内に配置可能なオブジェクトと当該オブジェクトのファイル内での位置を示す参照情報とを備え、所定のオブジェクトから構成されるページを規定する文書ファイルを、プリントデータに変換されることなく画像処理装置から受信して印刷するための画像形成装置であって、
前記画像処理装置から、印刷すべき文書ファイルを受信するための文書ファイル受信手段と、
前記文書ファイル受信手段により受信された前記文書ファイルを記憶するための記憶手段と、
前記記憶手段の使用可能容量が所定の基準値以下であるか否かを判断する判断手段と、
前記判断手段により前記記憶手段の使用可能容量が所定の基準値以下であると判断された場合、前記文書ファイルに対して、受信順にデータを処理することにより文書ファイルを解析できるデータ形式に変更するための変更処理を施すことを要求する変更要求通知を、前記画像処理装置に送信するための変更要求通知送信手段と、
前記画像処理装置から、前記変更処理が施された文書ファイルを受信するための変更後文書ファイル受信手段と、
前記変更後文書ファイル受信手段により前記変更処理が施された文書ファイルが受信された場合、前記変更処理が施された文書ファイルに基づいて印刷を行う印刷手段と
を有する画像形成装置。
【請求項３】
ページ順と異なる順序でファイル内に配置可能なオブジェクトと当該オブジェクトのファイル内での位置を示す参照情報とを備え、所定のオブジェクトから構成されるページを規定する文書ファイルを、プリントデータに変換せずに送信するための画像処理装置と、前記文書ファイルをプリントデータに変換されることなく前記画像処理装置から受信して印刷するための画像形成装置とを有する画像形成システムであって、
前記画像処理装置は、
印刷すべき文書ファイルを前記画像形成装置に送信するための文書ファイル送信手段と、
前記画像形成装置から、前記文書ファイルのデータ形式を変更することを要求する変更要求通知を受信するための変更要求通知受信手段と、
前記変更要求通知を受信した場合、前記文書ファイルに対して、受信順にデータを処理することにより文書ファイルを解析できるデータ形式に変更するための変更処理を施し、前記変更要求通知を受信しない場合、前記文書ファイルに対して、前記変更処理を施さないデータ形式変更手段と、
前記データ形式変更手段により前記文書ファイルに対して前記変更処理が施された場合、前記画像形成装置に対して、前記変更処理が施された文書ファイルを送信するための変更後文書ファイル送信手段と
を有し、
前記画像形成装置は、
前記画像処理装置から、前記印刷すべき文書ファイルを受信するための文書ファイル受信手段と、
前記文書ファイル受信手段により受信された前記文書ファイルを記憶するための記憶手段と、
前記記憶手段の使用可能容量が所定の基準値以下であるか否かを判断する判断手段と、
前記判断手段により前記記憶手段の使用可能容量が所定の基準値以下であると判断された場合、前記変更要求通知を前記画像処理装置に送信するための変更要求通知送信手段と、
前記画像処理装置から、前記変更処理が施された文書ファイルを受信するための変更後文書ファイル受信手段と、
前記変更後文書ファイル受信手段により前記変更処理が施された文書ファイルが受信された場合、前記変更処理が施された文書ファイルに基づいて印刷を行う印刷手段と
を有してなる画像形成システム。
【請求項４】
ページ順と異なる順序でファイル内に配置可能なオブジェクトと当該オブジェクトのファイル内での位置を示す参照情報とを備え、所定のオブジェクトから構成されるページを規定する文書ファイルを、プリントデータに変換せずに画像形成装置に送信するための画像処理装置を制御するためのプログラムであって、
印刷すべき文書ファイルを前記画像形成装置に送信するための文書ファイル送信手順と、
前記画像形成装置から、前記文書ファイルのデータ形式を変更することを要求する変更要求通知を受信するための変更要求通知受信手順と、
前記変更要求通知を受信した場合、前記文書ファイルに対して、受信順にデータを処理することにより文書ファイルを解析できるデータ形式に変更するための変更処理を施し、前記変更要求通知を受信しない場合、前記文書ファイルに対して、前記変更処理を施さないデータ形式変更手順と、
前記データ形式変更手順において前記文書ファイルに対して前記変更処理が施された場合、前記画像形成装置に対して、前記変更処理が施された文書ファイルを送信するための変更後文書ファイル送信手順と
を前記画像処理装置に実行させるためのプログラム。
【請求項５】
ページ順と異なる順序でファイル内に配置可能なオブジェクトと当該オブジェクトのファイル内での位置を示す参照情報とを備え、所定のオブジェクトから構成されるページを規定する文書ファイルを、プリントデータに変換されることなく画像処理装置から受信して印刷するための画像形成装置を制御するためのプログラムであって、
前記画像処理装置から、印刷すべき文書ファイルを受信するための文書ファイル受信手順と、
前記文書ファイル受信手順において受信された前記文書ファイルを記憶するための記憶手段の使用可能容量が所定の基準値以下であるか否かを判断する判断手順と、
前記判断手順において前記記憶手段の使用可能容量が所定の基準値以下であると判断された場合、前記文書ファイルに対して、受信順にデータを処理することにより文書ファイルを解析できるデータ形式に変更するための変更処理を施すことを要求する変更要求通知を、前記画像処理装置に送信するための変更要求通知送信手順と、
前記画像処理装置から、前記変更処理が施された文書ファイルを受信するための変更後文書ファイル受信手順と、
前記変更後文書ファイル受信手順において前記変更処理が施された文書ファイルが受信された場合、前記変更処理が施された文書ファイルに対して印刷処理を施すために印刷手段に当該文書ファイルを出力する出力手順と
を前記画像形成装置に実行させるためのプログラム。
【請求項６】
ページ順と異なる順序でファイル内に配置可能なオブジェクトと当該オブジェクトのファイル内での位置を示す参照情報とを備え、所定のオブジェクトから構成されるページを規定する文書ファイルを、プリントデータに変換せずに送信するための画像処理装置と、前記文書ファイルをプリントデータに変換されることなく前記画像処理装置から受信して印刷するための画像形成装置とを有する画像形成システムにおける画像形成方法であって、
前記画像処理装置が、印刷すべき文書ファイルを前記画像形成装置に送信するための文書ファイル送信ステップと、
前記画像形成装置が、前記画像処理装置からの前記文書ファイルを記憶手段に記憶するための記憶ステップと、
前記画像形成装置が、前記記憶手段の使用可能容量が所定の基準値以下であるか否かを判断する判断ステップと、
前記画像形成装置が、前記記憶手段の使用可能容量が所定の基準値以下であると判断した場合、前記文書ファイルに対して、受信順にデータを処理することにより文書ファイルを解析できるデータ形式に変更するための変更処理を施すことを要求する変更要求通知を、前記画像処理装置に送信するための変更要求通知送信ステップと、
前記画像処理装置が、前記画像形成装置から、前記変更要求通知を受信した場合、前記文書ファイルに対して、前記変更処理を施し、前記変更要求通知を受信しない場合、前記文書ファイルに対して、前記変更処理を施さないデータ形式変更ステップと、
前記画像処理装置が、前記文書ファイルに対して前記変更処理を施した場合、前記画像形成装置に対して、前記変更処理が施された文書ファイルを送信するための変更後文書ファイル送信ステップと、
前記画像形成装置が、前記画像処理装置から、前記変更処理が施された文書ファイルを受信した場合、前記変更処理が施された文書ファイルに基づいて印刷を行う印刷ステップと
を有する画像形成方法。
【請求項７】
前記文書ファイルは、ＰＤＦ（Portable Document Format）ファイルである請求項１に記載の画像処理装置。
【請求項８】
前記文書ファイルは、ＰＤＦ（Portable Document Format）ファイルである請求項２に記載の画像形成装置。
【請求項９】
前記文書ファイルは、ＰＤＦ（Portable Document Format）ファイルである請求項３に記載のプリントシステム。
【請求項１０】
前記文書ファイルは、ＰＤＦ（Portable Document Format）ファイルである請求項４または５に記載のプログラム。
【請求項１１】
請求項４または５に記載のプログラムを記録したコンピュータ読み取り可能な記録媒体。
【請求項１２】
前記文書ファイルは、ＰＤＦ（Portable Document Format）ファイルである請求項６に記載の画像形成方法。